(57)【特許請求の範囲】
【請求項１】
文字、図形、または模様を表す形状に形成されて光を拡散する光拡散意匠部と、
前記光拡散意匠部に裏面側から光を照射する光源と、
前記光拡散意匠部と前記光源を支持する筐体とを備え、
前記光拡散意匠部は、光の方向を変位させる加工がなされた光変位部を縁部の少なくとも表面側に備え、
前記筐体は、前記光変位部の裏面側に当接または近接して前記光拡散意匠部を支持する支持部を備え、
前記光変位部は、傾斜角度または湾曲半径の異なる表面側の第１変位部と側面側の第２変位部とで構成され、
前記第２変位部は、前記筐体の側面の延長線となす角度が１°から３０°となる傾斜面に形成されている
意匠性発光装置。
【請求項２】
前記第１変位部は、
前記表面との境界線である表面側境界線が、前記支持部の内側端の位置を中心として側方から内方まで前記光拡散意匠部の厚さの３／４の範囲内に位置し、
前記第２変位部との境界線である側面側境界線が、前記光拡散意匠部の厚さの中心となる位置を中心に表面から裏面まで前記光拡散意匠部の厚さの３／４の範囲内に位置する構成である
請求項１記載の意匠性発光装置。
【請求項３】
前記縁部は、正面側の前記光変位部と、前記光変位部の裏面側で前記変位部の側端より内側へ奥まった奥部と、前記奥部の裏面側で前記奥部の側端より外側へ突出するガイド部とを備え、
前記支持部は、前記光変位部と前記ガイド部の間で挟まれる構成であり、
前記ガイド部の端部は、前記光変位部の端部よりも内側の位置に構成された
請求項１または２記載の意匠性発光装置。
【請求項４】
文字、図形、または模様を表す形状に形成されて光を拡散する光拡散意匠部を有する光拡散部材であって、
前記光拡散意匠部は、光の方向を変位させる加工がなされた光変位部を縁部の少なくとも表面側に備え、
前記光変位部は、傾斜角度または湾曲半径の異なる表面側の第１変位部と側面側の第２変位部とで構成され、
前記第２変位部は、側面が１°から３０°傾斜した傾斜面に形成されている
光拡散部材。
【発明の詳細な説明】
【技術分野】
【０００１】
この発明は、例えば店名やロゴの照明サインや照明広告等に利用されるような意匠性発光装置および光拡散部材に関する。
【背景技術】
【０００２】
従来、店名やロゴを明るく表示する照明サインや照明広告と呼ばれるような意匠性発光装置が提供されている。このような意匠性発光装置は、光源の光を前面パネルで拡散して拡散光を放出し、店名やロゴ等の意匠を明るく表示するものである。この意匠性発光装置は、視認性が高く美しいことから、ブランドの店舗の正面や入口でブランド名を表示するなど、様々な場所で利用されている。【０００３】
このような意匠性発光装置は、従来のネオンサインから始まって、近年のＬＥＤを用いたＬＥＤサインまで変化してきており、様々な意匠性が求められている。【０００４】
このような意匠性発光装置は、特許文献１の図４に示されるように、文字形状等に形成された拡散板等（表示部２１）が筐体の正面に置かれ、この拡散板の縁を正面側から一定幅で押さえるカバー筐体（前枠部２３）がかぶせられるのが一般的である。この形状には、拡散板の縁部分に必ず金属等（前枠部２３）による不透光部分が発生するという特徴がある。【０００５】
ここで、この縁部分をなくして、文字等の表面全体を拡散板にすれば、縁のない美しい意匠性発光装置となる。このためには、拡散板を筐体に固定する必要がある。この固定の方法として、特許文献１の図３に示される接合部１１のように、筐体の内側に突起部を設け、この突起部に拡散板の裏面側を接着材等で固定することが考えられる。
【先行技術文献】
【特許文献】
【０００６】
【特許文献１】特開２００７−７２０５３号公報
【発明の概要】
【発明が解決しようとする課題】
【０００７】
しかし、このような方法では、内部の光源を発光させると、筐体の突起部が影となって見えてしまい、意匠性が損なわれるという問題点があった。図６は、このようにして発生する影を写真により説明する説明図である。例えば、図６（Ａ）の背面図および図６（Ｂ）の一部拡大斜視図に示すように、拡散板１０２に透明の突起部１０２ａを取り付け、この突起部１０２ａによって拡散板１０２を筐体に固定する。この場合、内部の光源を発光させると、図６（Ｃ）の正面図および図６（Ｄ）の一部拡大正面図に示すように、拡散板１０２の正面から見ると突起部１０２ａの影が映る。特に、突起部１０２ａの孔にネジを螺入して筐体に固定すると、そのネジの影が拡散板１０２に明瞭に映る。このように、影が見えると意匠性が損なわれるという問題があった。【０００８】
この発明は、上述の問題に鑑み、拡散板の縁を正面から押さえるカバー筐体をなくして意匠性を向上させ、かつ、拡散板を筐体に取り付ける取り付け部分が光源からの光の影となって拡散板に映ることを防止若しくは抑制できる意匠性発光装置を提供し、美しさを向上させて利用者の満足度を向上させることを目的とする。
【課題を解決するための手段】
【０００９】
この発明は、文字、図形、または模様を表す形状に形成されて光を拡散する光拡散意匠部と、前記光拡散意匠部に裏面側から光を照射する光源と、前記光拡散意匠部と前記光源を支持する筐体とを備え、前記光拡散意匠部は、光の方向を変位させる加工がなされた光変位部を縁部の少なくとも表面側に備え、前記筐体は、前記光変位部の裏面側に当接または近接して前記光拡散意匠部を支持する支持部を備え、前記光変位部は、傾斜角度または湾曲半径の異なる表面側の第１変位部と側面側の第２変位部とで構成され、前記第２変位部は、前記筐体の側面の延長線となす角度が１°から３０°となる傾斜面に形成されている意匠性発光装置であることを特徴とする。
【発明の効果】
【００１０】
この発明により、拡散板の縁を正面から押さえるカバー筐体をなくして意匠性を向上させ、かつ、拡散板を筐体に取り付ける取り付け部分が光源からの光の影となって拡散板に映ることを防止若しくは抑制できる意匠性発光装置を提供し、美しさを向上させて利用者の満足度を向上させることができる。
【図面の簡単な説明】
【００１１】
【図１】意匠性発光装置の正面と内部の説明図。
【図２】意匠性発光装置の縦断面による説明図。
【図３】意匠性発光装置の光の屈折を説明する説明図。
【図４】拡散板に指示部の影が映らない様子を写真により説明する説明図。
【図５】他の実施例の一部拡大断面図による説明図。
【図６】従来考えられる固定方法によって拡散板に映る影の説明図。
【発明を実施するための形態】
【００１２】
本発明者らは、光を拡散する光拡散意匠部の縁部分を正面側から裏面の筐体側へ挟むカバーを排除し、意匠性に優れた意匠性発光装置を提供しようと、鋭意研究を重ねた。最初、本発明者らは、単純に面押さえを無くし、筐体側面の表面側端に内側へ突出した支持突起を複数設け、その支持突起に光拡散意匠部の裏面を固定した。しかし、筐体内の光源からの光によって支持突起の影が生じ、光拡散意匠部の一部に影のある美しさの無いものになった。
【００１３】
そこで、本発明者らは、様々な工夫をし、鋭意研究を重ねた結果、光拡散意匠部の縁部分の少なくとも正面側に加工を施すことで、光拡散意匠部を支持する支持部の影が看者に視認されない美しい意匠性発光装置を完成させた。
【実施例１】
【００１４】
この発明の意匠性発光装置は、様々な文字、図形、模様について適用できるが、実施例１では、一例としてセリフフォントの一種であるローマン体の文字「Ｄ」を例にとって説明する。【００１５】
図１（Ａ）は、意匠性発光装置１の正面図を示し、図１（Ｂ）は、意匠性発光装置１の内部を表す正面図を示す。  
図１（Ａ），（Ｂ）に示すように、意匠性発光装置１は、光拡散意匠部２と、光遮断部材としての筐体４とで主に構成されている。【００１６】
光拡散意匠部２は、ストロークによって描かれた文字、図形、又は模様の形状に切り取られた板状に形成されており、この実施例１では「Ｄ」形状に形成されている。なお、ストローク（英語：ｓｔｒｏｋｅ）とは、文字を構成する１画１画、図形または模様を構成する線など、文字、図形、または模様を構成する幅を有する線を指す。【００１７】
図１（Ｂ）に示すように、筐体４は、背面部６が光拡散意匠部２（図１（Ａ）参照）と同じ形状であり、この背面部６の側端辺から正面に向かって直角に起立する深さ一定の側面部５が設けられている。従って、筐体４は、光拡散意匠部２と同じ形状の開口４ａを正面に有し、側面部５と背面部６によって正面以外が覆われる容器状に形成されている。【００１８】
筐体４の側面部５の正面側端部内側には、ストロークの縁となる側面部５に沿って一定幅の支持部５１（縁部）が設けられている。この支持部５１は、光拡散意匠部２を筐体４の正面で外れないように支持する。【００１９】
筐体４の背面部６の正面側には、反射面６ａが全面に設けられている。この反射面６ａは、光沢のある白色塗装（白色印刷を含む）により形成されている。この白色塗装は、光を反射する反射面として機能する。【００２０】
反射面６ａの正面側には、複数の光源９が設けられている。図示する光源９は、ＬＥＤであるが、これに限らずネオン管、発光部を有するフレキシブル基板、または発光部の光を導光する導光板等、適宜の光源を利用することができる。【００２１】
また、光源９は、図示省略する配線により接続されており、図示省略する電源から電源供給を受けて発光する。なお、反射面６ａと光源９と配線は、図１では図示省略されている。【００２２】
このようにして、筐体４の正面に光拡散意匠部２が配置されて、図１（Ａ）の正面図に示すように文字、図形、模様を表す意匠性発光装置１が完成する。【００２３】
図２（Ａ）は、図１（Ａ）におけるＡ−Ａ切断端面を示す断面図であり、図２（Ｂ）は、この断面図における縁部２０ａ近傍の拡大図である。【００２４】
図２（Ａ）に示すように、背面部６の両側端と側面部５の底部の間には、それぞれクッション材７が挟まれている。そして、側面部５の底部付近の外側から背面部６に向かってネジ８ａが螺入されており、このネジ止めにより側面部５と背面部６が固定されている。背面部６には、施設の壁面等に固定するためのネジ８ａが螺入されている。【００２５】
この構成により、ネジ８ａによって店舗壁面等に意匠性発光装置１が固定される。また、クッション材７により、側面部５と背面部６の間から光が漏れること、ほこりや水が浸入することを防止している。【００２６】
筐体４の側面部５の内面は、反射面５ａが設けられている。この反射面５ａは、光沢のある白色塗装によって形成されている。また、反射面５ａと反射面６ａによって囲まれる空間は、光反射空間１０として機能する。なお、反射面５ａと反射面６ａは、白色に限らず適宜の色とすることができる。また、反射面５ａと反射面６ａは、塗装に限らず印刷とする、あるいは反射フィルムで構成するなど、適宜の構成とすることができる。【００２７】
光源９から発せられた光は、側面位置の反射面５ａと背面位置の反射面６ａとにより、光反射空間１０内で様々な方向に反射される。これにより、光拡散意匠部２には、光源９からの直接光と、反射面５ａや反射面６ａによる反射光が入射する。つまり、光拡散意匠部２には、様々な方向からの面光が入射する。【００２８】
光拡散意匠部２は、入射した光を拡散して透過する。従って、光源９が発光した状態のとき、光拡散意匠部２は、白く光って視認される。この光拡散意匠部２を透過した光は、面光となる。【００２９】
図２（Ｂ）に示すように、光拡散意匠部２は、表面側の拡散板１１（拡散部材）と裏面側の透過板１３（透過部材）が重ねられて接着剤等によって固定された多層構造に形成されている。拡散板１１は、乳白色で半透明のアクリル板により形成されている。拡散板１１の厚みは、看者が正面から見て少なくとも光源９の形状を認識できない程度以上に光を拡散できる厚みに構成されている。透過板１３は、透明のアクリル板によって形成されている。なお、拡散板１１および透過板１３は、アクリル板に限らず、ガラス板やプラスチック板等、透過する光を拡散する適宜の素材の板状部材により形成することができる。【００３０】
光拡散意匠部２の側端側には、拡散板１１の側端側で、正面から光拡散意匠部２の表面を視認すると光源９からの光による支持部５１の影が見られないか見えづらくなる方向へ光を変位させる光変位部２０ｂと、透過板１３の側端側で筐体４の支持部５１に装着するための装着部２０ｃとで構成される縁部２０ａが設けられている。【００３１】
光変位部２０ｂは、拡散板１１の表面１２の端部付近から円弧を描いて側面へ至る第１変位部２１と、第１変位部２１から連続する直線状の側面をなす第２変位部２２を有している。この第１変位部２１と第２変位部２２により、光変位部２０ｂは、拡散板１１の縁部分で表面１２から側面にわたって形成されている。【００３２】
第１変位部２１は、表面１２との境界線である表面側境界線２１ａが、支持部５１の内側端の位置Ｐを中心とする側方から内方の範囲が拡散板１１の厚さＤの３／４以内となる第１範囲Ｌ１内で、かつ、より好ましい範囲である厚さＤの１／２以内となる第２範囲Ｌ２内に位置するように構成されている。【００３３】
また、第１変位部２１は、側面に位置する第２変位部２２との境界線である側面側境界線２１ｂが、拡散板１１の厚さＤの中心となる位置Ｃを中心に表面から裏面までの範囲が厚さＤの３／４以内となる第３範囲Ｌ３内で、かつ、より好ましい範囲である厚さＤの１／２以内となる第４範囲Ｌ４内に位置するように構成されている。【００３４】
第２変位部２２は、筐体４の側面部５の延長線との角度θが３０°以内で、かつ、より好ましい範囲である１５°以内で、さらに好ましい範囲である１０°以内の傾斜面に構成されている。なお、第２変位部２２の角度θは、０°としても可能であるが、１°以上であることが好ましく、５°以上であることがより好ましい。【００３５】
なお、この実施例では、拡散板１１の厚みＤを８ｍｍとし、第２変位部２２の角度θを８°とし、第１変位部２１の湾曲の半径を５ｍｍとしているが、これに限らない。【００３６】
透過板１３の装着部２０ｃは、拡散板１１との接着面側に凹部１４（奥部）を備え、裏面側に凸部１５（ガイド部）を備えている。これにより、凸部１５と拡散板１１の端部の裏面２３の間に支持部５１を挟み込み、光拡散意匠部２を筐体４に外れないように取り付けることができる。【００３７】
凸部１５は、拡散板１１の側端よりも側面部５の厚み分だけ内側に端部が位置するように構成されている。また、凹部１４は、凸部１５の端部からの距離が、支持部５１の突出距離よりも長くなるように構成されている。これにより、支持部５１の内側端と凹部１４の間に空隙Ｅが構成される。この空隙Ｅは、野外に設置されて直射日光等で意匠性発光装置１が熱くなった際に、熱で膨張しないステンレス等の金属製の筐体４に対して、光拡散意匠部２が熱で膨張しても、その膨張による変化を吸収できる。従って、空隙Ｅにより、光拡散意匠部２と筐体４の熱による変形量の違いによって破損することを防止できる。【００３８】
図４は、このように構成した意匠性発光装置１の光拡散意匠部２に影が映らないことを写真により説明する説明図である。図４（Ａ）の一部拡大斜視図および図４（Ｂ）の一部拡大正面図に示すように、光源９を発光させると、拡散板２の第１変位部２１および第２変位部２２が拡散板２の大部分をなす平面部分と同様に発光し、支持部５１の影が映らない。なお、この図４（Ａ）、図４（Ｂ）の写真では、拡散板２の手前側を切断し、支持部５１と第１変位部２１および第２変位部２２の位置関係がわかりやすくなるようにしている。また、光源９については、この写真の例では等間隔の格子状に上下左右に整列配置して備えている。【００３９】
以上の構成により、光拡散意匠部２の縁の表面側に金属等の面押さえのない意匠性発光装置１を提供することができる。【００４０】
意匠性発光装置１は、光変位部２０ｂにより、光源９を発光させると光拡散意匠部２の端部まで略均一に発光するため、支持部５１の影ができない美しい発光文字、発光図形、または発光模様を得ることができる。詳述すると、光源９からの光は、拡散板１１内で拡散されると共に、図３の一部拡大断面図の矢印Ｙ２に示すように、第１変位部２１と第２変位部２２から屈折して放射される。図示するように、矢印Ｙ２は、平面状の表面１２から放出される光を示す矢印Ｙ１と比べて、光源９の光を正面の中央側へ寄せて屈折させる。この屈折により、看者に対して支持部５１の影を視認させずに光源９からの光を光拡散意匠部２の隅々まで届けて視認させることができる。【００４１】
光拡散意匠部２は、正面から見て筐体４と同じ大きさに形成されているため、筐体４の正面が視認されることのない全面光拡散意匠部２となる意匠性発光装置１を提供することができる。【００４２】
また、支持部５１が拡散板１１の裏面２３と透過板１３の凸部１５で挟まれる構造により、光源９からの直接光が漏れ出ることを防止できる。【００４３】
支持部５１の内側端と凹部１４の間に存在する空隙Ｅにより、野外に設置して直射日光等で温度変化が激しい環境でも、熱による光拡散意匠部２の膨張率と筐体４の膨張率の差を吸収して破損を防止することができる。【００４４】
なお、空隙Ｅには、容易に変形するクッション材を備えてもよい。これにより、屋外に設置した意匠性発光装置１において、雨水等の水分や粉塵が内部に侵入することを防止できる。【００４５】
図５は、他の実施例を説明する説明図である。  
図５（Ａ）は、実施例２の一部拡大断面図である。実施例２では、拡散板１１Ａの第１変位部２１Ａが直線形状に形成されている。その他の構成は、実施例１と同一であるので、同一要素に同一符号を付して詳細な説明を省略する。  
この場合でも、実施例１と同じ効果を得ることができる。【００４６】
図５（Ｂ）は、実施例３の一部拡大断面図である。実施例３では、実施例２の拡散板１１Ａと透過板１３を重ねた形状と同じ形状の１つの拡散板１１Ｂを備えている。すなわち、拡散板１１Ｂは、一枚の拡散板の側面が加工されて、第１変位部２１Ａ、第２変位部２２、裏面２３、凹部１４Ｂ、凸部１５Ｂが形成されている。【００４７】
この場合でも、実施例１と同じ効果を得ることができる。また、一体形成であるため、実施例１，２のように拡散板１１と透過板１３を貼り合わせる工程を削減することができる。【００４８】
図５（Ｃ）は、実施例４の一部拡大断面図である。実施例４では、実施例２の透過板１３が第１透過板１３１と第２透過板１３２を重ねて貼り合わせて構成されている。  
この場合も。実施例１と同じ効果を得ることができる。また、実施例２であれば  透過板１３の端部を加工して凹部１４と凸部１５の段差を形成する必要があったが、この実施例４では２枚の透過板１３１，１３２を貼り合わせることで凹部１４Ｃと凸部１５Ｃの段差を形成することができる。【００４９】
図５（Ｄ）は、実施例５の一部拡大断面図である。実施例５では、実施例２の拡散板１１Ａの裏面２３が筐体４の側面部５に設けられた支持部５１に直接的に接着されている。【００５０】
これにより、実施例１と同様に、光拡散意匠部２の縁の表面側に金属等の面押さえのない意匠性発光装置１を提供することができ、光源９を発光させると光拡散意匠部２の端部まで略均一に発光させることができる。【００５１】
また、実施例１のように熱による膨張／収縮に対応する空隙Ｅがないが、屋内に設置する場合やサイズが比較的小さい場合など、アクリル等の素材の膨張／収縮が発生しにくい場所で十分使用できる。また、これにより、透過板１３を排除してコストを削減することができる。【００５２】
図５（Ｅ）は、実施例６の一部拡大断面図である。実施例６では、実施例１の拡散板１１Ｅの端部が筐体４の側面部５の外面よりも少し（幅Ｗ）だけ外側へ突出するように、拡散板１１Ｅが筐体４より少し大きく形成されている。その他の構成は、実施例１と同一であるので、同一要素に同一符号を付して詳細な説明を省略する。  
この場合でも、実施例１と同じ効果を得ることができる。また、光拡散意匠部２Ｅが空隙Ｅによって多少移動しても、正面から筐体４が視認されず、全体が光拡散意匠部２Ｅとなる意匠性の優れた意匠性発光装置１Ｅを提供できる。なお、この実施例６と逆に、拡散板１１Ｅを筐体４より小さく形成し、正面から見ると光拡散意匠部２Ｅの外側に筐体４の支持部５１が幅Ｗだけ視認できるように構成してもよい。この場合は、光拡散意匠部２Ｅの外側で少し低い位置（裏面側の位置）に金属等の縁のある美観を提供することができる。【００５３】
なお、筐体４は、光拡散意匠部２と同じ形状としたが、これに限らず、正面を長方形の板状等の任意の形状とし、この正面に光拡散意匠部２の形状と同じで少し小さい穴を設けた形状としてもよい。この場合、穴の縁が支持部５１として光拡散意匠部２を支持する構成にするとよい。この場合も、筐体４の正面よりも正面側に重ねて配置された光拡散意匠部２が縁まで万遍なく発光し、支持部５１の影が光拡散意匠部２に映らない美観を提供することができる。
【産業上の利用可能性】
【００５４】
この発明は、店名やロゴの照明サインや照明広告等に用いることができる他、ストロークによって描かれた意匠を光によって視認させる適宜の意匠性照明製作物に利用することができる。
【符号の説明】
【００５５】
１…意匠性発光装置
２…光拡散意匠部
４…筐体
９…光源
２０ａ…縁部
２０ｂ…光変位部
２１…第１変位部
２２…第２変位部
１１，１１Ａ，１１Ｂ，１１Ｅ…拡散板
１２…表面
１４，１４Ｂ，１４Ｃ…凹部
１５，１５Ｂ，１５Ｃ…凸部
２３…裏面
５１…支持部
Ｅ…空隙
【要約】
意匠性発光装置１は、文字、図形、または模様を表す形状に形成されて光を拡散する光拡散意匠部２と、光拡散意匠部２に裏面側から光を照射する光源９と、光拡散意匠部２と光源９を支持する筐体４とを備え、光拡散意匠部２は、光の方向を変位させる加工がなされた光変位部２０ｂを縁部２０ａの少なくとも表面１２側に備え、筐体４は、光変位部２０ｂの裏面２３側に当接または近接して光拡散意匠部２を支持する支持部５１を備え、光変位部２０ｂは、正面から前記光拡散意匠部２の表面１２を視認すると光源９からの光による支持部５１の影が見られないか見えづらくなる方向へ光を変位させる構成である。これにより、拡散板１１の縁を正面から押さえるカバー筐体をなくして意匠性を向上させ、かつ、拡散板１１を筐体４に取り付ける支持部５１が光源９からの光の影となって拡散板１１に映ることを防止若しくは抑制できる。【図１】
0005514374.tif 000002
【図２】
0005514374.tif 000003
【図３】
0005514374.tif 000004
【図４】
0005514374.tif 000005
【図５】
0005514374.tif 000006
【図６】
0005514374.tif 000007